(57)【要約】  ユーザに娯楽のプレゼンテーションを提供すべくモバイル装置を使用する方法を提供する。本方法は、コントローラと、電子商取引のトランザクションをサポートするように作動可能なスマートチップとを含む前記モバイル装置によってマルチメディアプレゼンテーション制御ソフトウェアをダウンロードするステップと、前記ユーザによってもたらされる第１のスマートチップイベントに応答して前記ユーザの第１の行動を前記モバイル装置によって登録するステップと、前記第１の行動に応答してマルチメディアプレゼンテーション制御ソフトウェアの機能を作動させるステップと、前記マルチメディアプレゼンテーション制御ソフトウェアを用いて前記モバイル装置の前記ユーザに前記娯楽のプレゼンテーションを提供するステップと、を含む。
2011501889.tif 000002
【特許請求の範囲】
【請求項１】
ユーザに娯楽のプレゼンテーションを提供すべくモバイル装置を使用する方法であって、
コントローラと、電子商取引のトランザクションをサポートするように作動可能なスマートチップとを含む前記モバイル装置によってマルチメディアプレゼンテーション制御ソフトウェアをダウンロードするステップと、
前記ユーザによってもたらされる第１のスマートチップイベントに応答して前記ユーザの第１の行動を前記モバイル装置によって登録するステップと、
前記第１の行動に応答してマルチメディアプレゼンテーション制御ソフトウェアの機能を作動させるステップと、
前記マルチメディアプレゼンテーション制御ソフトウェアを用いて前記モバイル装置の前記ユーザに前記娯楽のプレゼンテーションを提供するステップと、
を含むことを特徴とする方法。
【請求項２】
前記モバイル装置は携帯電話である、請求項１に記載の方法。
【請求項３】
前記第１の行動を登録するステップは、通勤・通学の開始を登録することを含む、請求項１に記載の方法。
【請求項４】
前記ユーザに前記娯楽のプレゼンテーションを提供するのに先立ち、
前記モバイル装置のユーザがローカルサービスネットワークに入ったことを検出するステップと、
前記モバイル装置のユーザがネットワークに入ったことに応答して前記ローカルサービスネットワークから前記娯楽のプレゼンテーションを得るステップと、
を更に含む、請求項１に記載の方法。
【請求項５】
前記第１のスマートチップイベントは、通勤・通学時間の情報を得ることを含み、前記ローカルサービスネットワークから前記娯楽のプレゼンテーションを得るステップが、前記通勤・通学時間に基づく、請求項４に記載の方法。
【請求項６】
前記ローカルサービスネットワークからの退出を検出するステップと、
前記退出に応答して前記娯楽のプレゼンテーションを一時中断するステップと、
を更に含む、請求項４に記載の方法。
【請求項７】
前記退出の後に前記モバイル装置が前記ローカルサービスネットワークに再び入ったことを検出するステップと、
前記モバイル装置が再びネットワークに入ったことに応答して、一時中断後の前記娯楽のプレゼンテーションを再開するステップと、
を更に含む、請求項６に記載の方法。
【請求項８】
前記マルチメディアプレゼンテーションは、少なくとも一つのビデオクリップを含む、請求項１に記載の方法。
【請求項９】
前記マルチメディアプレゼンテーションは、ゲームを含む、請求項１に記載の方法。
【請求項１０】
前記ユーザによってもたらされる第２のスマートチップイベントに応答して前記ユーザの第２の行動を前記モバイル装置によって登録するステップと、
前記第２の行動に応答して前記マルチメディアプレゼンテーションの少なくとも一つの状態を修正するステップと、
を含む、請求項１に記載の方法。
【請求項１１】
前記第２の行動を登録するステップは、購入を登録することを含む、請求項１０に記載の方法。
【請求項１２】
前記第２の行動を登録するステップは、通勤・通学の終了を登録することを含む、請求項１０に記載の方法。
【請求項１３】
前記第２の行動に応答して前記マルチメディアプレゼンテーションの少なくとも一つの状態を修正するステップは、前記マルチメディアプレゼンテーションを得るためのクレジットの蓄積を含む、請求項１０に記載の方法。
【請求項１４】
前記マルチメディアプレゼンテーションの状態を修正するステップは、前記マルチメディアプレゼンテーションの一時中断を含む、請求項１０に記載の方法。
【請求項１５】
ユーザに娯楽のプレゼンテーションを提供するモバイル装置であって、
電子商取引のトランザクションをサポートするように作動可能なスマートチップと、
メモリと、
マルチメディアプレゼンテーション制御ソフトウェアを前記メモリにダウンロードするように作動可能で、さらに、前記ユーザによってもたらされる、第１のスマートチップイベントに応答した第１の行動を登録し、前記第１の行動に応答して前記マルチメディアプレゼンテーション制御ソフトウェアの機能を作動させ、且つ前記マルチメディアプレゼンテーション制御ソフトウェアを用いて前記モバイル装置の前記ユーザに前記娯楽のプレゼンテーションを提供するように作動可能なコントローラと、
を備えることを特徴とするモバイル装置。
【請求項１６】
前記第１の行動の登録が通勤・通学の開始を登録することを含む、請求項１５に記載の装置。
【請求項１７】
前記ユーザに前記娯楽のプレゼンテーションを提供するのに先立ち、前記モバイル装置は、ローカルサービスネットワークに入ったことを検出し、且つ前記モバイル装置がネットワークに入ったことに応答して前記ローカルサービスネットワークから前記娯楽のプレゼンテーションを得るように作動可能である、請求項１５に記載の装置。
【請求項１８】
前記第１のスマートチップイベントは、通勤・通学時間の情報を得ることを含み、前記ローカルサービスネットワークから前記娯楽のプレゼンテーションを得ることが、前記通勤・通学時間に基づく、請求項１７に記載の装置。
【請求項１９】
前記モバイル装置は、前記ローカルサービスネットワークからの退出を検出し、且つ前記退出に応答して前記娯楽のプレゼンテーションを一時中断するように作動可能である、請求項１７に記載の装置。
【請求項２０】
前記モバイル装置は更に、前記退出の後に前記モバイル装置が前記ローカルサービスネットワークに再び入ったことを検出し、且つ前記モバイル装置が再びネットワークに入ったことに応答して、一時中断後の前記娯楽のプレゼンテーションを再開するように作動可能である、請求項１９に記載の装置。
【発明の詳細な説明】
【技術分野】
【０００１】
本発明は、概してモバイル通信に関する。より詳細には、本発明はモバイルコマースおよびモバイルエンターテインメントに関する。
【背景技術】
【０００２】
現代生活において非常に便利な点の一つは、現金等の有形の支払手段を用いる必要なく品物やサービスに対して支払うための電子商取引（eコマース）に参加できることである。「スマートチップ」あるいは「スマートカード」とも称される集積回路（IC）装置やチップを携帯電話やパーソナルデータアシスタント（PDAs）等の多くのモバイル通信装置の構成に含めることにより、移動中の人々は、そうした利便性を一層享受可能になっている。これらのスマートチップを備えたモバイル通信装置は、例えば、製品を購入したり、娯楽イベントのチケットを予約したり、トークンやトラベルクレジットの購入を要求する交通輸送システムへアクセスする上で、電子財布のように使用できる。
【０００３】
eコマースに参加できることは今日の生活がより楽で便利になっている一面を表すが、一方、現代生活の別の局面はそれほど良いものでない。例えば、現代の都市および都市近郊住民が直面している多くの苛酷さの一つは、彼らの貴重な時間のかくも多くを「待つ」ことに費やさねばならないことである。例えば、空路で旅行する場合、彼らは厳しくなった安全上の制約のため離陸時間が要求するよりずっと早く空港に到着しなければならず、空港でも搭乗のため待ち、また各々の目的地に着くまで飛行機の上で待たなければならない。仕事場または学校へ向かう／から帰る通勤者、通学者として、彼らはバス、地下鉄あるいは列車に乗る可能性があり、そこでも搭乗のため、また各々の目的地に着くまで待つことになる。この日々の果てしなく続くように思われる「待つこと」の不幸な結末として、旅行者あるいは通勤・通学者が各々の目的地に到着したとき、彼らは退屈、疲労あるいはイライラしきっていて彼らの職業活動において創造性や生産性が落ち、また、そのような状態でない場合と比較して、同僚たちと相互に建設的に関わる傾向が低くなる可能性がある。
【０００４】
頻繁に待つことの馬鹿らしい単調さから解放される一つの可能性となり得るものが、遅延を課しているサービスに対する支払のため一層用いられるようになっているのと同じモバイル装置の使用を通して利用可能な気晴らしによってもたらされている。例えば、携帯電話またはPDAのユーザは、これらの装置を、通勤・通学列車の乗車券に対する支払のためだけでなく、通勤・通学の間に娯楽や情報にアクセスするために利用してよく、これにより、そうした娯楽や情報へのアクセスが無ければ退屈なあるいはイライラする不毛な期間となり得る時間を、楽しい気晴らしあるいは知的な刺激の期間にすることができる。こうした精神的な気晴らしや気分転換の源となり得るものは原則として利用可能であるが、現在のところモバイル装置ユーザは気晴らしになるコンテンツを積極的に捜し出さなくてはならず、ユーザは、そうしたコンテンツへのアクセスを得るのが複雑、高価、あるいは単に慣れていないか利用できない可能性がある等の理由でこれを実行しない可能性が高い。結果として、現代の多くの通勤・通学者やその他の人々は、待ち時間の合間に気晴らしの源になるものへアクセスすることに失敗するため、不必要な疲労、ストレスおよびイライラ感を経験する可能性がある。
【発明の概要】
【発明が解決しようとする課題】
【０００５】
従って、待ち時間に直面しているモバイル装置ユーザに対して、該モバイル装置ユーザが積極的にプレゼンテーションコンテンツを捜し出す必要がなく、また待ち時間に耐えるという不愉快な心理的／社会的結果をある程度緩和し得る情報性または娯楽性を有するマルチメディアコンテンツを提供することにより、従来技術の欠点および欠陥を克服する必要がある。
【課題を解決するための手段】
【０００６】
モバイル装置ユーザに対してマルチメディアプレゼンテーションを提供する方法およびシステムであって、該方法およびシステムは、図面の少なくとも一つに関連して実質的に示され、および／または記載されており、また、添付の請求の範囲に、より完全な形で記載されている。
【０００７】
本発明の特徴および利点は、以下の詳細な説明および添付図面を査読することにより当業者には一層自明になるであろう。
【図面の簡単な説明】
【０００８】
【図１】本発明の一実施形態に基づく、モバイル装置ユーザにマルチメディアプレゼンテーションを提供する例示的な通信システムを表す図である。
【図２】本発明の一実施形態に基づくステップであって、これによって例示的なマルチメディアプレゼンテーションをモバイル装置ユーザに提供できるステップを説明するフローチャートを示す図である。
【図３】本発明の別の実施形態に基づくステップであって、これによって例示的なマルチメディアプレゼンテーションをモバイル装置ユーザに提供できるステップを説明するフローチャートを示す図である。
【図４】図３に示された例示的な方法に対応する図である。
【発明を実施するための形態】
【０００９】
本発明は、モバイル装置ユーザにマルチメディアプレゼンテーションを提供する方法およびシステムに向けられたものである。以下の記載は、本発明の実施に伴う特定の情報を含む。当業者であれば、本発明を本件明細書に特に議論された方法とは異なる方法で実施してもよいことを理解するであろう。また、本発明の特定の詳細の一部が議論されていないのは、本発明を曖昧にするためではない。本件明細書に記載されていない特定の詳細は、当業者の知識の範囲内である。
【００１０】
本件明細書の図面および付随した詳細な説明は、本発明の例示的な実施形態に向けられているにすぎない。簡潔さを維持するため、本発明の原理を用いる本発明の他の実施形態を本件明細書に特に記載せず、また図面に特に示さないものとする。
【００１１】
図１は、本発明の一実施形態に基づく、モバイル装置ユーザにマルチメディアプレゼンテーションを提供する例示的な通信システムに関する図を示す。通信システム１００は、ローカルサービスネットワーク１０２、マルチメディアプレゼンテーションコンテンツサーバ１０４、モバイル通信キャリア１０６、およびモバイル装置１１０を含む。モバイル装置１１０は、モバイルオペレーションシステム１１２、スマートチップ１１４、マルチメディアプレゼンテーション制御ソフトウェア１１６、およびモバイルディスプレィ１１８を含む。また、図１は、モバイル装置１１０をローカルサービスネットワーク１０２およびモバイル通信キャリア１０６に各々接続する通信リンク１２２および１２６と、モバイル通信キャリア１０６およびローカルサービスネットワーク１０２をマルチメディアプレゼンテーションコンテンツサーバ１０４に各々接続する通信リンク１２４および１２１を更に含む。また、モバイル装置１１０は、マルチメディアプレゼンテーション制御ソフトウェア１１６、モバイルオペレーションシステム１１２およびモバイル装置１１０の他のソフトウェア要素を格納するためのメモリ１１７を含む。また、モバイル装置１１０は、モバイル装置１１０の各種の構成要素を作動、制御および管理するためのコントローラ１１９を含む。
【００１２】
図１に示すように、例示的な本実施形態によれば、モバイル装置１１０は、モバイル通信キャリア１０６および／またはローカルサービスネットワーク１０２を介してマルチメディアプレゼンテーションコンテンツサーバ１０４と通信する。別の実施形態において、通信システム１００は図１に示されているよりも多くのあるいは図１に示されているよりも少ない要素を含んでよく、例えば、インターネットのようなパケットネットワークが、モバイル通信キャリア１０６を介したモバイル装置１１０とマルチメディアプレゼンテーションコンテンツサーバ１０４との間の通信を仲介してもよい。また、ワイファイ（WiFi）もしくはブルートゥースネットワークが、ローカルサービスネットワーク１０２を介したモバイル装置１１０とマルチメディアプレゼンテーションコンテンツサーバ１０４との間の通信を仲介してもよい。
【００１３】
なお、図１の実施形態はモバイル装置１１０においてスマートチップを含むが、この特定の施行形態は本説明を分かりやすくすべく選択されたものである。モバイル装置１１０は、ワイアレス通信をサポートできる装置であれば何でもよい。よって、本実施形態において、モバイル装置１１０は、スマートチップを備え電子商取引のトランザクションを実行できる例えば携帯電話、パーソナルデジタルアシスタント（PDA）、ポータブルコンピュータ等のワイアレス通信装置として示されているが、そうした特徴づけは例示的なものにすぎない。一実施形態において、モバイル装置１１０はスマートチップ１１４を含まず、例えばワイアレスのゲーム機用コンソール等のゲーム機器を含んでもよい。さらに別の実施形態において、モバイル装置１１０は、車両ナビゲーションシステム等のナビゲーションユニットを含んでよい。
【００１４】
本実施形態によれば、マルチメディアプレゼンテーション制御ソフトウェア１１６、ならびにマルチメディアプレゼンテーションのコンテンツは、モバイル通信キャリア１０６を介してマルチメディアプレゼンテーションコンテンツサーバ１０４からダウンロードされる。別の実施形態において、マルチメディアプレゼンテーション制御ソフトウェア１１６がモバイル装置１１０内に既に存在するようにし、これにより、マルチメディアプレゼンテーション制御ソフトウェア１１６をダウンロードする必要をなくしてもよい。マルチメディアプレゼンテーション制御ソフトウェアを、モバイルオペレーションシステム１１２およびスマートチップ１１４と機能的に統合して構成してもよい。マルチメディアプレゼンテーション制御ソフトウェア１１６をスマートチップ１１４と機能的に統合することにより、マルチメディアプレゼンテーション制御ソフトウェア１１６の機能を、スマートチップ１１４におけるスマートチップイベントつまりローカルサービスネットワーク１０２とのトランザクションあるいはその他の相互作用の登録に応答して作動することができる。マルチメディアプレゼンテーション制御ソフトウェアをモバイルオペレーションシステム１１２と機能的に統合することにより、マルチメディアプレゼンテーションのコンテンツをモバイルディスプレィ１１８を介して表示することができる。
【００１５】
マルチメディアプレゼンテーション制御ソフトウェア１１６をモバイルオペレーションシステム１１２と機能的に統合することにより、マルチメディアプレゼンテーション制御ソフトウェア１１６の機能を、スマートチップイベントに関連したモバイル装置作動以外のモバイル装置作動に応答して作動することができる。例えば、マルチメディアプレゼンテーション制御ソフトウェア１１６を、eメールプログラムの使用、アラーム機能性、あるいは携帯電話に提供されたウェブブラウザ等の特定機能の使用に応答してモバイル装置行動を登録するように設定することが可能である。
【００１６】
図１の実施形態において、マルチメディアプレゼンテーション制御ソフトウェア１１６は、マルチメディアプレゼンテーションの状態を修正することによりスマートチップイベントの登録に応答するように設定されている。例えば、スマートチップイベントは、マルチメディアプレゼンテーションを開始または再開するための、マルチメディアプレゼンテーションによって利用されるレジスタもしくはアカウントをアップデートするための、あるいはマルチメディアプレゼンテーションを終了または一時中断するためのトリガとしてもよい。通信システム１００は、例えば音楽、オーディオ、画像およびビデオクリップまたはビデオゲームを含むマルチメディアプレゼンテーションを、モバイル装置１１０に登録されたスマートチップイベントに応答して提供するように用いることができる。これに続くスマートチップイベントの登録を、例えば、そのプレゼンテーションをアップデート、終了あるいは一時中断するプロンプトとして機能させてもよい。通信システム１００は、モバイル装置ユーザに対し、各種のスマートチップイベントへの参照によってモバイル装置１１０に登録されたモバイル装置ユーザの行動に応えて例えば娯楽、有益な報道、指示、広告を提供することができる。
【００１７】
図２は、本発明の一実施形態に基づくステップを説明するフローチャート２００を示し、該ステップにより、例示的なマルチメディアプレゼンテーションをモバイル装置ユーザに提供することができる。フローチャート２００において、当業者にとって自明なある種の詳細や特徴は省略されている。例えば、従来技術において既知であるように、一つのステップは、一つ以上のサブステップを含んでよく、あるいは特定の装置や材料を伴ってよい。本発明の一実施形態を説明するためにはフローチャート２００に示唆されたステップ２１０〜２８０で十分であるが、本発明の他の実施形態がフローチャート２００に示されたステップとは異なるステップを用いてもよい。
【００１８】
図２のフローチャート２００のステップ２１０を参照する。このフローチャート２００のステップ２１０は、マルチメディアプレゼンテーション制御ソフトウェアを、スマートチップを備えたモバイル装置にダウンロードすることを含む。これは、マルチメディアプレゼンテーションを提供することによりモバイル装置ユーザの行動に応えるようにモバイル装置を準備する初期設定ステップであり、典型的に、初期設定の後、マルチメディアプレゼンテーション制御ソフトウェアをアップデートすべく定期的に実行する必要がある。上述のように、モバイル装置がマルチメディアプレゼンテーション制御ソフトウェアを既に含む場合、ステップ２１０は必要ない。  
【００１９】
図２のステップ２２０および図１の通信システム１００について続ける。フローチャート２００のステップ２２０は、第１のスマートチップイベントを参照することによりモバイル装置ユーザの第１の行動を登録することを含む。単純かつ非制限的、例証的な例として、購買用の食品を提供する複数の販売装置（以下ベンダと称することもある）のネットワークを有するローカルサービスネットワーク１０２を考慮する。利用可能な品目についての情報は、もしそれがモバイル装置１１０に既に存在していない場合は、マルチメディアプレゼンテーション制御ソフトウェア１１６の一部としてモバイル装置１１０にダウンロードされたメニュー選択プレゼンテーションとして格納し、ステップ２１０で説明したように定期的にアップデートすることができる。食品の選択を準備する際のモバイル装置ユーザの行動は、例えばモバイル装置１１０のスマートチップ１１４の、販売装置のローカルサービスネットワークポートとの相互作用を含むスマートチップイベントを参照することによって登録することができる。
【００２０】
しかし、スマートチップイベントは、ローカルサービスネットワーク内部に発生しているイベントに限定される必要はない。例えば、モバイル装置１１０は、ローカルサービスネットワーク１０２外の選択された位置に提供されたタグもしくはチップから、またはポスターから、またあるいは電子掲示板から情報を引き出すために使うことができる。例えば、チップをポスターに印刷し、旅行者（移動者）は、一つの駅から別の駅へ移動する間にポスターに印刷されたチップをスキャンすることができる。チップは、ポスター、旗、あるいは他の公共の場で利用可能な物品に印刷あるいは貼り付けることができるRFIDチップとすることができる。こうした状況下においては、その後にモバイル装置１１０がネットワークへ再び入った際に、スマートチップイベントをローカルサービスネットワークに伝えることができる。
【００２１】
フローチャート２００のステップ２３０では、マルチメディアプレゼンテーション制御ソフトウェアの機能を、ステップ２２０に記載の第１のスマートチップイベントに応答して作動させる。先に紹介した販売装置のネットワークの例を続けると、モバイル装置１１０のスマートチップ１１４とローカルサービスネットワーク１０２との間の通信を参照することによって登録された、モバイル装置ユーザの第１の行動は、マルチメディアプレゼンテーション制御ソフトウェア１１６の機能を作動させる。すると、マルチメディアプレゼンテーション制御ソフトウェアは、登録されたスマートチップイベントの種類に基づき適切なマルチメディアプレゼンテーションを選択することができる。スマートチップが販売装置のスマートポートと相互作用する場合に、マルチメディアプレゼンテーション制御ソフトウェア１１６は、購入のため利用できる製品を、該製品の販売装置用のローカルサービスネットワーク認証コードをそのネットワーク用のデータベースに格納されている情報とクロスリファレンス（相互参照）することにより識別することができる。適切なマルチメディアのコンテンツが識別されたら、マルチメディアプレゼンテーション制御ソフトウェア１１６は、モバイル装置ユーザに表示するための関連するメニュー選択プレゼンテーションを開始することができる。
【００２２】
フローチャート２００のステップ２４０では、選択されたマルチメディアプレゼンテーションを、モバイルディスプレィ１１８を用いてモバイル装置１１０に提供する。マルチメディアプレゼンテーションは、例えば、メニュー品目のグラフィック表示とすることができ、あるいは利用可能なメニュー品目の望ましい品質を広告するか、または賞揚するオーディオおよびビデオ部分を含んでよい。一実施形態において、二つ以上のスマートチップを用いてマルチメディアプレゼンテーションを提供してよい。例えば、スマートチップ１１４を備えたモバイル装置１１０のユーザが、第２のスマートチップを備えたショッピングカードも所有してよい。この場合、第２のスマートチップをローカルサービスネットワークに登録し、スマートチップ１１４にリンクすることができる。結果として、第２のスマートチップで発生しているスマートチップイベントは、マルチメディアプレゼンテーションを選択する目的のための、モバイル装置ユーザの行動を含むことになる。第２のスマートチップを使用することから発生するスマートチップイベントは、ローカルサービスネットワークに登録すると共に、モバイル装置１１０に対するアップデートとして提供することができ、これにより、選択したマルチメディアプレゼンテーションがモバイルディスプレィ１１８に提供される。
【００２３】
図１の実施形態においてモバイル装置１１０はモバイルディスプレィ１１８を有するが、この構成が本発明の全ての実施形態に当てはまるわけではないことに留意されたい。例えば、一実施形態において、モバイル装置１１０はモバイルディスプレィを有さない。しかし、この実施形態において、モバイル装置１１０は、選択されたマルチメディアプレゼンテーションを提供することなくフローチャート２０００に示された諸ステップを行うように構成される。その代わり、選択されたマルチメディアプレゼンテーションを適当なディスプレィ装置に送り、該装置にプレゼンテーション用に保管してもよい。
【００２４】
フローチャート２００のステップ２５０では、モバイル装置ユーザの第２の行動を、第２のスマートチップイベントを参照することにより登録する。販売装置の例を続ければ、第２の行動は、例えば、食品の選択とすることができる。食品の選択は、選択された食品を購入するためのeコマーストランザクションを実行すべくスマートチップ１１４を用いるスマートチップイベントに対応してよい。
【００２５】
フローチャート２００のステップ２６０では、マルチメディアプレゼンテーションの状態を、先のステップで登録された行動に応じて修正する。例えば、先のステップが食品の購入を登録する場合、本ステップでメニュー選択を提供するマルチメディアプレゼンテーションを終了してよい。あるいは、トランザクションがプロモーション用の品目の購入を伴う場合、そうした購入の登録が、報奨としてのポイントやマルチメディアプレゼンテーションのクレジットを確認するメッセージの出現、およびそれに続くマルチメディアプレゼンテーションの終了を促してもよい。
【００２６】
上記ステップに続くステップ２７０およびステップ２８０は、追加的にマルチメディアプレゼンテーションが提供される場合に、ステップ２２０からステップ２６０が繰り返されることを意味する。上述の販売装置の例と同様、各マルチメディアプレゼンテーションを、モバイル装置ユーザの行動に応じ、対応するスマートチップイベントを参照することによって修正することができる。このように、モバイル装置ユーザは、彼／彼女の現在の行動に関連するマルチメディアプレゼンテーションのコンテンツの提供を、そのコンテンツへのアクセスを積極的に捜し求める必要なしに受けられる。
【００２７】
図３を参照する。図３は、本発明の別の実施形態に基づくステップを説明するフローチャートを示し、該ステップにより、例示的なマルチメディアプレゼンテーションをモバイル装置ユーザに提供することができる。図３は、図４を参照して更に説明され、図４は、図３に示された例示的な方法に対応する図を示す。例示的な本実施形態は、通勤・通学者が行う行動に応答したビデオトラベルゲームのプレゼンテーションに対応し、単なる一例にすぎない。モバイル装置４１０が、図２のステップ２１０の初期設定に類似の、マルチメディアプレゼンテーション制御ソフトウェアのダウンロードを含む初期設定（図示せず）を経た後、フローチャート３００のステップ３２０では、モバイル装置ユーザの第１の行動を第１のスマートチップイベントの結果として登録する。本実施形態によれば、第１のスマートチップイベントは、モバイル装置ユーザがローカルサービスネットワークに付随した通勤・通学鉄道システムに入り込むことによって通勤・通学を開始した結果として発生する。図４は、モバイル装置４１０が、スマートチップ４１４とローカルサービスネットワーク４０２の通信リンク４２０を介した相互作用によって通勤・通学鉄道システムに入り込んだ状態を示している。モバイル装置４１０のユーザは、例えば、実質的にスマートチップ４１４に格納されている以前に購入したトラベルトークンまたはクレジットの転送を伴うeコマーストランザクションを介して、通勤・通学鉄道システムに入ることができる。
【００２８】
フローチャート３００のステップ３３０では、マルチメディアプレゼンテーション制御ソフトウェアの機能を、ステップ３２０に記載の第１のスマートチップイベントに応答して作動させる。すると、上述のように、マルチメディアプレゼンテーション制御ソフトウェアは、登録されたスマートチップイベントの種類に基づき適切なマルチメディアプレゼンテーションを選択することができる。通勤・通学鉄道システムへ入ったスマートチップ４１４がローカルサービスネットワーク４０２と相互作用している本例の場合、マルチメディアプレゼンテーション制御ソフトウェアは、例えば、旅（移動）に関連したテーマのビデオゲーム（こうしたゲームを以下、トラベルゲームと称する）を開始することができる。
【００２９】
フローチャート３００のステップ３４０では、選択されたトラベルゲームの形態のマルチメディアプレゼンテーションを、モバイルディスプレィ４１８を用いてモバイル装置４１０に提示する。モバイル装置４１０のユーザに提供されたトラベルゲームは、通勤・通学の合間の、通勤・通学者にとって退屈あるいはイライラ感の原因となる可能性のある時間に気晴らしと娯楽を提供する。
【００３０】
フローチャート３００のステップ３５０では、モバイル装置ユーザの第２の行動を、第２のスマートチップイベントを参照することによって登録する。例示的な本実施形態において、モバイル装置ユーザの第２の行動は、通勤・通学路内外にある提携ベンダによって提供される品物やサービスのeコマースによる購入に対応する。図４は、通信リンク４２８を介してローカルサービスネットワーク４０２に接続され、かつ通信リンク４５０を介してスマートチップ４１４と相互作用している提携ベンダ４２０を示す。
【００３１】
本例において、提携ベンダのステータスは、例えば、品物やサービスの優先提供者としてマルチメディアプレゼンテーション制御ソフトウェアを介して登録されている提携ベンダ４２０を参照できる。本実施形態において、提携ベンダ４２０は、通勤・通学鉄道システムに入るのに利用されるローカルサービスネットワーク４０２と同じネットワークに接続されているが、他の実施形態において、提携ベンダ４２０は、スマートチップ４１４が相互運用可能な（そのベンダの）別のローカルサービスネットワークに接続されてもよい。
【００３２】
フローチャート３００のステップ３６０では、トラベルゲームをユーザの行動を反映するように修正する。先のステップが提携ベンダとのトランザクションを登録すると、トラベルゲームと組み合わせて使うための報奨トラベルクレジットが、例えば、特定のベンダの認証あるいは購入の規模に応じて報奨として与えられる。本例において、トラベルゲームの修正は、報奨としてのトラベルクレジットの蓄積を反映すべく残高をアップデートすることを含んでよい。
【００３３】
フローチャート３００のステップ３７０では、モバイル装置ユーザの追加的な行動を、追加的なスマートチップイベントの結果として登録する。本実施形態によれば、追加的なスマートチップイベントは、モバイル装置ユーザがローカルサービスネットワーク４０２に付随した通勤・通学鉄道システムを出て通勤・通学あるいはその一部を終了する結果、発生する。図４は、通信リンク４７０を介したスマートチップ４１４とローカルサービスネットワーク４０２の相互作用によって通勤・通学鉄道システムを出るモバイル装置４１０を示している。モバイル装置４１０のユーザは、例えば、運賃全額の計算およびスマートチップ４１４に実質的に格納された追加的なトラベルトークンの転送を伴うeコマーストランザクションを介して、通勤・通学鉄道システムから退出することができる。
【００３４】
次のステップ３８０は、通勤・通学が終了したことを示唆するモバイル装置ユーザの行動に応答してトラベルゲームを修正する。トラベルゲームの修正は、例えば、実際に通勤・通学で移動したマイル数に直結した報奨としてのトラベルクレジットの蓄積と、それに続くトラベルゲームの終了もしくは一時中断を含むことができる。一実施形態において、トラベルゲームは、通勤・通学システムから退出したときに終了する。別の実施形態において、トラベルゲームは退出時に一時中断されるだけであり、通勤・通学者はそのゲームをいつでも手動で、あるいは同じもしくは別のローカルサービスネットワーク制御の通勤・通学システムに入った際に自動的に再開することができる。また、ローカルサービスネットワークによってユーザが出入りする地点を知ることにより、ローカルサービスネットワークはそのユーザの典型的な旅行（移動）時間を計算できる。一実施形態において、ユーザは、旅行あるいは通勤・通学時間を手動で入力してもよい。ユーザの移動時間あるいは移動期間に応じて、ローカルサービスネットワークはそのユーザに特定のサービスを提供できる。例えば、ユーザのそうした既知の移動期間を通じて完全な形で提示および享受可能なビデオクリップおよびゲームを選択させることができる。一実施形態において、ユーザに娯楽のプレゼンテーションを提供するのに先立ち、モバイル装置１００はローカルサービスネットワーク１１０に入ったことを検出すると共に、この入ることに応答してローカルサービスネットワーク１１０から娯楽のプレゼンテーションを得ることができる。例えば、スマートチップイベントを、手動で提供される、あるいは自動的に算出される通勤・通学時間の期間とし、ローカルサービスネットワーク１０２からの娯楽プレゼンテーションはこの通勤・通学時間に基づくものとすることができる。モバイル装置１１０およびローカルサービスネットワーク１０２は、モバイル装置１１０のローカルサービスネットワーク１０２からの退出を検出すると共に、その退出に応答して娯楽のプレゼンテーションを一時中断することができ、その後、モバイル装置１１０およびローカルサービスネットワーク１０２は、モバイル装置１１０がローカルサービスネットワーク１０２に再び入ったことを検出したら、この再びネットワークに入ったことに応答して娯楽のプレゼンテーションを先に一時中断したところから再開することができる。
【００３５】
上述のように、モバイル装置ユーザにマルチメディアプレゼンテーションを提供する方法およびシステムは、ユーザの行動に合わせたマルチメディアコンテンツの自動的な配給をサポートする。このように、本発明は、モバイル装置ユーザの現在の状況に即応した関連性の高いコンテンツを提供できる。結果として、例えば、商品の購入をするためモバイル装置を利用する消費者に、購入を決定する上での情報を与えるデータおよび画像を与えることができる。あるいは、例えば、通勤・通学の開始に応答して実行されると共に通勤・通学の移動を通して継続するトラベルゲームや一連の音楽ビデオの形態の娯楽を、通勤・通学者に提供することができる。モバイル装置ユーザの行動をマルチメディアコンテンツのプレゼンテーション用のトリガとして利用することにより、本発明は、モバイル装置ユーザがそうしたコンテンツを積極的に捜し求めなくても該ユーザに時事的な情報や娯楽を提供することができる。
【００３６】
本発明の上記の記載から、本発明の概念をその範囲から逸脱することなく実施すべく様々な技術を使用できることは自明である。さらに、本発明は特定の実施形態を特に参照して説明されたが、本発明の精神および範囲から逸脱することなく形状および詳細を変更できることは、当業者であれば理解するであろう。そのようなものとして、上記の実施形態は、その全ての局面において例示的であり限定的でないとみなされねばならない。また、本発明は本件明細書に記載の特定の実施形態に限定されず、本発明の範囲から逸脱しない限り多くの再構成、修正および代替が可能であることを理解されたい。
【図１】
2011501889.tif 000003
【図２】
2011501889.tif 000004
【図３】
2011501889.tif 000005
【図４】
2011501889.tif 000006
【手続補正書】
【提出日】平成22年8月18日(2010.8.18)
【手続補正１】
【補正対象書類名】特許請求の範囲
【補正対象項目名】全文
【補正方法】変更
【補正の内容】
【特許請求の範囲】
【請求項１】
ユーザに娯楽のプレゼンテーションを提供すべくモバイル装置を使用する方法であって
、
コントローラと、電子商取引のトランザクションをサポートするように作動可能なスマ
ートチップとを含む前記モバイル装置によってマルチメディアプレゼンテーション制御ソ
フトウェアをダウンロードするステップと、
前記ユーザによってもたらされる第１のスマートチップイベントに応答して前記ユーザ
の第１の行動を前記モバイル装置によって登録するステップであって、前記第１のスマー
トチップイベントが通勤・通学時間の情報を得ることを含むステップと、
前記第１の行動に応答してマルチメディアプレゼンテーション制御ソフトウェアの機能
を作動させるステップと、
前記通勤・通学時間に基づいてローカルサービスネットワークから前記娯楽のプレゼン
テーションを得るステップと
前記マルチメディアプレゼンテーション制御ソフトウェアを用いて前記モバイル装置の
前記ユーザに前記娯楽のプレゼンテーションを提供するステップと、
を含むことを特徴とする方法。
【請求項２】
前記モバイル装置は、携帯電話である、請求項１に記載の方法。
【請求項３】
前記第１の行動を登録するステップは、通勤・通学の開始を登録することを含む、請求
項１に記載の方法。
【請求項４】
前記ユーザに前記娯楽のプレゼンテーションを提供するのに先立ち、
前記モバイル装置のユーザがローカルサービスネットワークに入ったことを検出するス
テップと、
前記モバイル装置のユーザがネットワークに入ったことに応答して前記ローカルサービ
スネットワークから前記娯楽のプレゼンテーションを得るステップと、
を更に含む、請求項１に記載の方法。
【請求項５】
通勤・通学時間は、前記ローカルサービスネットワークから得られる、請求項４に記載
の方法。
【請求項６】
前記ローカルサービスネットワークからの退出を検出するステップと、
前記退出に応答して前記娯楽のプレゼンテーションを一時停止するステップと、
を更に含む、請求項４に記載の方法。
【請求項７】
前記退出の後に前記モバイル装置が前記ローカルサービスネットワークに再び入ったこ
とを検出するステップと、
前記モバイル装置が再びネットワークに入ったことに応答して、一時中断後の前記娯楽
のプレゼンテーションを再開するステップと、
を更に含む、請求項６に記載の方法。
【請求項８】
前記マルチメディアプレゼンテーションは、少なくとも一つのビデオクリップを含む、
請求項１に記載の方法。
【請求項９】
前記マルチメディアプレゼンテーションは、ゲームを含む、請求項１に記載の方法。
【請求項１０】
前記ユーザによってもたらされる第２のスマートチップイベントに応答して前記ユーザ
の第２の行動を前記モバイル装置によって登録するステップと、
前記第２の行動に応答して前記マルチメディアプレゼンテーションの少なくとも一つの
状態を修正するステップと、
を含む、請求項１に記載の方法。
【請求項１１】
前記第２の行動を登録するステップは、購入を登録することを含む、請求項１０に記載
の方法。
【請求項１２】
前記第２の行動を登録するステップは、通勤・通学の終了を登録することを含む、請求
項１０に記載の方法。
【請求項１３】
前記第２の行動に応答して前記マルチメディアプレゼンテーションの少なくとも一つの
状態を修正するステップは、前記マルチメディアプレゼンテーションを得るためのクレジ
ットの蓄積を含む、請求項１０に記載の方法。
【請求項１４】
前記マルチメディアプレゼンテーションの状態を修正するステップは、前記マルチメデ
ィアプレゼンテーションの一時中断を含む、請求項１０に記載の方法。
【請求項１５】
ユーザに娯楽のプレゼンテーションを提供するモバイル装置であって、
電子商取引のトランザクションをサポートするように作動可能なスマートチップと、
メモリと、
マルチメディアプレゼンテーション制御ソフトウェアを前記メモリにダウンロードする
ように作動可能で、さらに、前記ユーザによってもたらされる、通勤・通学時間の情報を
得ることを含む第１のスマートチップイベントに応答した第１の行動を登録し、前記第１
の行動に応答して前記マルチメディアプレゼンテーション制御ソフトウェアの機能を作動
させ、前記通勤・通学時間に基づきローカルサービスネットワークから前記娯楽のプレゼ
ンテーションを得て、前記マルチメディアプレゼンテーション制御ソフトウェアを用いて
前記モバイル装置の前記ユーザに前記娯楽のプレゼンテーションを提供するように作動可
能なコントローラと、
を備えることを特徴とするモバイル装置。
【請求項１６】
前記第１の行動の登録が通勤・通学の開始を登録することを含む、請求項１５に記載の
装置。
【請求項１７】
前記ユーザに前記娯楽のプレゼンテーションを提供するのに先立ち、前記モバイル装置
は、ローカルサービスネットワークに入ったことを検出し、且つ前記モバイル装置がネッ
トワークに入ったことに応答して前記ローカルサービスネットワークから前記娯楽のプレ
ゼンテーションを得るように作動可能である、請求項１５に記載の装置。
【請求項１８】
通勤・通学時間の情報は、前記ローカルサービスネットワークから得られる、請求項１
７に記載の装置。
【請求項１９】
前記モバイル装置は、前記ローカルサービスネットワークからの退出を検出し、且つ前
記退出に応答して前記娯楽のプレゼンテーションを一時中断するように作動可能である、
請求項１７に記載の装置。
【請求項２０】
前記モバイル装置は更に、前記退出の後に前記モバイル装置が前記ローカルサービスネ
ットワークに再び入ったことを検出し、且つ前記モバイル装置が再びネットワークに入っ
たことに応答して、一時中断後の前記娯楽のプレゼンテーションを再開するように作動可
能である、請求項１９に記載の装置。
【国際調査報告】
2011501889.tif 000007